(57)【要約】【課題】生化学検査において、人為的なミスを防ぎ、正しい解析結果を得る。【解決手段】スクリーニング検査の結果が陽性である場合に、スクリーニング検査のための生化学解析用ユニットのスポット情報やサンプル情報と関連付けて、精密検査のための生化学解析用ユニットを作成し精密検査を行う生化学検査システム。【選択図】　　　　　図１
2004109060.tif 000002
【特許請求の範囲】
【請求項１】
基板上の異なる位置に、生体由来の物質と特異的に結合可能で、かつ、構造または特性が既知の複数の種類の特異的結合物質がそれぞれ固定されてなる複数の固定領域を有するスクリーニング検査のための生化学解析用ユニットの前記結合物質に対して、標識物質により標識された生体由来の物質を特異的に結合させるスクリーニング検査用特異的結合手段と、
前記スクリーニング検査用特異的結合手段により前記結合物質と特異的に結合した前記生体由来の物質を標識する前記標識物質に起因して出力される信号を検出するスクリーニング検査用検出手段と、
前記スクリーニング検査用検出手段の検出結果に基づいて生化学解析を実行するスクリーニング検査用解析手段と、
前記スクリーニング検査用解析手段による生化学解析の結果が陽性である場合に、信号を出力した前記結合物質に対応する、生体由来の物質と特異的に結合可能で、かつ、構造または特性が既知の複数の種類の特異的結合物質を、基板上の異なる位置にそれぞれ固定して複数の固定領域を形成することにより精密検査のための生化学解析用ユニットを生成するスポッティング手段と、
前記スポッティング手段により生成された精密検査のための生化学解析用ユニットの前記結合物質に対して、前記スクリーニング検査用特異的結合手段において用いられた生体由来の物質を特異的に結合させる精密検査用特異的結合手段と、
前記精密検査用特異的結合手段により前記結合物質と特異的に結合した前記生体由来の物質を標識する前記標識物質に起因して出力される信号を検出する精密検査用検出手段と、
前記精密検査用検出手段の検出結果に基づいて生化学解析を実行する精密検査用解析手段とからなる生化学検査システム。
【発明の詳細な説明】
【０００１】
【発明の属する技術分野】
本発明は、生化学検査システム、より詳細には、標識物質により標識された生体由来の物質を生化学解析用ユニットに固定された結合物質と結合させ、標識物質に起因して出力される信号を用いて、スクリーニング検査および必要な場合には精密検査を行う生化学検査システムに関するものである。
【０００２】
【従来の技術】
近年、スクリーニング検査や精密検査等の臨床検査を行うシステムとして、スライドガラスやメンブレンフィルタなどの担体表面の異なる位置に、細胞、ウィルス、抗体、抗原、その他のタンパク質、核酸など、生体由来の物質と特異的に結合可能で、かつ、塩基配列や塩基の長さ、組成などが既知の特異的結合物質を、スポッター装置を用いて滴下して、多数の独立した固定領域（特異的結合物質が固定された領域、以下スポットとも称す）を形成した生化学解析用ユニットを用い、ついで、細胞、ウィルス、抗体、抗原、その他のタンパク質、核酸など、抽出、単離などによって生体から採取され、化学発光基質と接触させることによって化学発光を生じさせる酵素などの標識物質によって標識された生体由来の物質を、生化学解析用ユニット上の特異的結合物質にハイブリダイズさせて、特異的結合物質を選択的に標識し、さらに標識物質を化学発光基質と接触させ、その際放出される化学発光を光電的に検出して遺伝子情報などの生体由来の物質に関する情報を得るようにした生化学検査システムが知られている。
【０００３】
上記システムによれば、スライドガラスやメンブレンフィルタなどの担体表面上の異なる位置に、数多くの特異的結合物質のスポットを高密度に形成して、標識物質によって標識された生体由来の物質をハイブリダイズさせることにより、短時間で生体由来の物質を解析することが可能になるという利点がある。
【０００４】
【発明が解決しようとする課題】
しかしながら、従来の生化学検査システムでは、スクリーニング検査と精密検査とを別々の系で行っていたため、結果が出るまでに時間がかかっていた。また、生体由来の物質と結合処理が行われる前の生化学解析用ユニットは、各々のスポットを形成するそれぞれの特異的結合物質の種類、スポットの位置パターン等が様々であり、対象となる生体由来の物質およびスクリーニング検査のための生化学解析用ユニットに基づいて解析を行う操作者が、スクリーニング検査においてどの生化学解析用ニットを用い、どの生体由来の物質を解析対象とし、スクリーニング検査の結果どの特異的結合物質と生体由来の物質とが反応したか等を覚えておき、精密検査を行う際に、自分の記憶やメモなどに基づいて、検査に必要な特異的結合物質を基板上にスポットすることにより精密検査のための生化学解析用ユニットを生成する必要があった。そのため、記憶ミスや入力ミスなどに起因するヒューマンエラーが発生し、正しい解析結果を得ることができない場合があった。
【０００５】
上記の問題点は、化学発光法を用いた生化学検査システムに限らず、標識物質として放射性標識物質を用いた生化学検査システム、および標識物質として蛍光性標識物質を使用し励起光を照射することにより蛍光を生じさせる生化学検査システムにおいても同様であり、また化学発光法において、生体由来の物質を抗原で標識し、化学発光基質と接触させることによって化学発光を生じさせる標識物質により標識された抗体を抗原と接触させた後、化学発光基質を接触させることにより化学発光を生じさせることとした生化学検査システムにおいても同様であった。
【０００６】
本発明は、上記の事情に鑑みてなされたものであり、人為的なミスを避け、短時間で効率的に臨床検査を行うことができる生化学検査システムを提供することを目的とするものである。
【０００７】
【課題を解決するための手段】
本発明による生化学検査システムは、基板上の異なる位置に、生体由来の物質と特異的に結合可能で、かつ、構造または特性が既知の複数の種類の特異的結合物質がそれぞれ固定されてなる複数の固定領域を有するスクリーニング検査のための生化学解析用ユニットの前記結合物質に対して、標識物質により標識された生体由来の物質を特異的に結合させるスクリーニング検査用特異的結合手段と、前記スクリーニング検査用特異的結合手段により前記結合物質と特異的に結合した前記生体由来の物質を標識する前記標識物質に起因して出力される信号を検出するスクリーニング検査用検出手段と、
前記スクリーニング検査用検出手段の検出結果に基づいて生化学解析を実行するスクリーニング検査用解析手段と、
前記スクリーニング検査用解析手段による生化学解析の結果が陽性である場合に、信号を出力した前記結合物質に対応する、生体由来の物質と特異的に結合可能で、かつ、構造または特性が既知の複数の種類の特異的結合物質を、基板上の異なる位置にそれぞれ固定して複数の固定領域を形成することにより精密検査のための生化学解析用ユニットを生成するスポッティング手段と、
前記スポッティング手段により生成された精密検査のための生化学解析用ユニットの前記結合物質に対して、前記スクリーニング検査用特異的結合手段において用いられた生体由来の物質を特異的に結合させる精密検査用特異的結合手段と、
前記精密検査用特異的結合手段により前記結合物質と特異的に結合した前記生体由来の物質を標識する前記標識物質に起因して出力される信号を検出する精密検査用検出手段と、
前記精密検査用検出手段の検出結果に基づいて生化学解析を実行する精密検査用解析手段とを備えたものであることを特徴とするものである。
【０００８】
ここで、「固定領域」とは、基板上の特異的結合物質が固定されている部位を意味し、本発明の説明において「スポット」と同義である。
【０００９】
また、生体由来の物質と「特異的に結合」とは、例えばＤＮＡやＲＮＡ等で見られる相補的なヌクレオチド配列の間に安定な二本鎖が形成されるような場合（ハイブリダイゼーション）や、抗原と抗体、ビオチンとアビジン等のように、特定の物質とのみ選択的に反応する極めて特異性の高い結合を意味する。
【００１０】
「基板」は、その上の異なる複数の位置に特異的結合物質を固定することができるものであればどのようなものでも良いが、例えば平板状の基板主部に多数の孔を開け、この孔に特異的結合物質を固定することができる吸着性材料を配してなるものを用いることができる。
【００１１】
「生化学解析用ユニット」とは、基板上に特異的結合物質が固定されたものを意味する。
【００１２】
基板主部は、生化学解析用ユニット内部での散乱を防止するために光を減衰させる材質により形成するのが好ましく、基板主部の材質としては、銅、銀、金、亜鉛、鉛、アルミニウム、チタン、スズ、クロム、鉄、ニッケル、コバルト、タンタル等の金属やステンレス鋼、黄銅等の合金、アルミナ、ジルコニア等のセラミックが挙げられるがこれらに限定されない。また、孔を開ける加工が容易であるプラスチックを基板主部の材質として用いる場合、そのプラスチックとしては、ポリエチレン、ポリプロピレン等のポリオレフィン、ポリスチレン、ポリメチルメタクリレート等のアクリル樹脂、ポリ塩化ビニル、ポリ塩化ビニリデン、ポリフッ化ビニリデン、ポリテトラフルオロエチレン、ポリクロロトリフルオロエチレン、ポリカーボネート、ポリエチレンナフタレートおよびポエチレンテレフタレート等のポリエステル、ナイロン−６およびナイロン−６６ナイロン、ポリイミド、ポリスルフォン、ポリフェニレンサルファイド、ポリジフェニルシロキサン等のケイ素樹脂、ノボラック等のフェノール樹脂、エポキシ樹脂、ポリウレタン、酢酸セルロースおよびニトロセルロース等のセルロース類、ブタジエン−スチレン共重合体等のコポリマー、およびこれらの組合せが挙げられるがこれらに限定されない。また、光を減衰させるために前記のプラスチックに金属酸化物粒子やガラス繊維等を充填することが好ましく、金属酸化物粒子としては、二酸化ケイ素、アルミナ、二酸化チタン、酸化鉄、酸化銅等が挙げられるがこれらに限定されない。光を減衰させる材質とは、基板主部の孔に充填された吸着性材料の表面または内部の特異的結合物質と結合した標識物質から発する光が、孔から基板主部壁を透過して隣接する孔に到達する強度を１／５以下、好ましくは１／１０以下に減衰させる性質を有する材質を意味する。
【００１３】
基板主部の厚みは、一般には５０〜１０００μｍの範囲にあり、好ましくは１００〜５００μｍの範囲にある。
【００１４】
孔の密度を高めるために、基板主部に開ける孔の開口部の面積は一般には５ｍｍ２未満であり、好ましくは１ｍｍ２未満、より好ましくは０．３　ｍｍ２未満、および最も好ましくは０．０１　ｍｍ２未満である。また、孔の開口部の面積は好ましくは０．００１　ｍｍ２以上である。
【００１５】
基板主部に開ける孔のピッチ（隣接する二つの孔の中心から中心までの距離）は、一般には０．０５〜３ｍｍの範囲にあり、孔の間隔（隣接する二つの孔の端部から端部までの最短距離）は、一般には０．０１〜１．５ｍｍの範囲にある。孔の数（密度）は、一般には１０個／ｃｍ２以上であり、好ましくは１００個／ｃｍ２以上、より好ましくは５００個／ｃｍ２以上、および最も好ましくは１０００個／ｃｍ２以上である。なお、孔は必ずしも等間隔で設けられている必要はなく、いくつかのブロック（単位）に別れてブロックごとに複数の孔が設けられていてもよい。
【００１６】
吸着性材料としては、好ましくは多孔質材料または繊維材料を用いることができる。多孔質材料と繊維材料を併用してもよい。多孔質材料は、有機多孔質材料、無機多孔質材料のいずれでもよく、有機／無機複合体でもよい。
【００１７】
有機多孔質材料としては、例えば活性炭等の炭素多孔質材料あるいはメンブレンフィルタを形成可能な多孔質材料が好ましい。メンブレンフィルタを形成可能な多孔質材料としては、セルロース誘導体（例えばニトロセルロース、再生セルロース、セルロースアセテート、酢酸セルロース、酪酸酢酸セルロース等）、脂肪族ポリアミド類（例えばナイロン−６、ナイロン−６６、ナイロン４、１０等）、ポリオレフィン類（例えばポリエチレン、ポリプロピレン等）、含塩素ポリマー類（例えばポリ塩化ビニル、ポリ塩化ビニリデン等）、フッ素樹脂類（例えばポリフッ化ビニリデン、ポリテトラフルオライド等）、ポリカーボネート、ポリスルフォン、アルギン酸およびその誘導体（例えばアルギン酸、アルギン酸カルシウム、アルギン酸／ポリリシンポリイオンコンプレックス等）、コラーゲン等、およびこれらポリマーの共重合体や複合体（混合体）が挙げられるがこれらに限定されない。
【００１８】
また、上記繊維材料としては、例えばセルロース誘導体類、脂肪族ポリアミド類等を用いることができる。
【００１９】
上記無機多孔質材料としては、例えば金属（例えば白金、金、鉄、銀、ニッケル、アルミニウム等）、金属酸化物（例えばアルミナ、シリカ、チタニア、ゼオライト等）、金属塩（例えばヒドロキシアパタイト、硫酸カルシウム等）およびこれらの複合体等を用いることができる。
【００２０】
「標識物質」としては、ジゴキシゲニン、ビオチン、アビジン、フルオロセイン等の抗原、これらの抗原に対する抗体、化学発光基質と接触させることによって化学発光を生じさせる標識物質、例えばアルカリフォスターゼ、フェロオキシダーゼ、ルシフェラーゼ等の酵素、蛍光物質や色素等の蛍光性標識物質および放射性標識物質等が用いられるがこれらに限定されず、これに起因して何らかの信号を生じさせるものであればよい。
【００２１】
「化学発光基質」としては、例えばアルカリフォスターゼ、フェロオキシダーゼ、およびルシフェラーゼにそれぞれ対応して、ジオキセタン、ルミノール、およびルシフェリンが用いられるがこれらに限定されない。
【００２２】
「標識物質に起因して出力される信号」としては、例えば、化学発光基質と接触させることによって化学発光を生じさせる標識物質を化学発光基質と接触させることにより生ずる化学発光、放射性標識物質により励起を受けた輝尽性蛍光体が励起光を照射されることにより生ずる輝尽発光光、蛍光性標識物質が励起光を照射されることにより生ずる蛍光、および標識物質として抗原を使用し、化学発光基質と接触させることによって化学発光を生じさせる標識物質、放射性標識物質、または蛍光性標識物質により標識された抗体をこの抗原に結合させた場合に生ずる光が挙げられるが、これらに限定されない。
【００２３】
「信号を出力した前記結合物質」とは、標識物質に起因して信号を出力することによりスクリーニング検査の結果が陽性であるとの判断に起用された、スクリーニング検査のための生化学解析用ユニット上の特異的結合物質を意味する。
【００２４】
また、スクリーニング検査用特異的結合手段、スクリーニング検査用反応手段、スクリーニング検査用検出手段、およびスクリーニング検査用解析手段はそれぞれ、精密検査用特異的結合手段、精密検査用反応手段、精密検査用検出手段、および精密検査用解析手段と同一（兼用）でもよいが、もちろん異なるものであってもよい。
【００２５】
また、スクリーニング検査のための生化学解析用ユニットの固定領域に固定された結合物質は、ある病気において発現する遺伝子の一部とし、スクリーニング検査の結果が陽性である場合にスポッティング手段により精密検査のための生化学解析用ユニットの固定領域に固定された結合物質は、その病気において発現する遺伝子のすべてとしてもよい。さらに、スクリーニング検査のための生化学解析用ユニットの固定領域に固定された結合物質は、複数の病気に対してそれぞれ発現する遺伝子の一部とし、スクリーニング検査の結果が陽性である場合にスポッティング手段により精密検査のための生化学解析用ユニットの固定領域に固定された結合物質は、スクリーニング検査のための生化学解析用ユニットによる検査の結果が陽性である病気において発現する遺伝子のすべてとしてもよい。
【００２６】
【発明の効果】
本発明の生化学検査システムによれば、スクリーニング検査のための生化学解析用ユニットを用いたスクリーニング検査の結果が陽性である場合には、スポッティング手段が、スクリーニング検査のための生化学解析用ユニットにおける信号を出力した結合物質の種類に対応する精密検査用の特異的結合物質を自動的に固定して精密検査のための生化学解析用ユニットを生成するように構成したので、操作者によるスクリーニング検査の検査結果の記憶やメモなどに頼らず、また操作者の手動による精密検査のための特異的結合物質の選択および基板への固定を介することなく、スクリーニング検査結果に対応する正確な精密検査のための生化学解析用ユニットを自動的に生成することができ、したがって従来のような人為的ミスを防ぎ、正しい解析結果を得ることができると共に検査時間を短縮することができる。また、生化学解析用ユニットは規格が統一されているため、スクリーニング検査と精密検査に使用する特異的結合手段や反応手段等の各手段を共通にした場合には、検査に必要な設備費用を少なくすることができ、検査時間はさらに短くなる。
【００２７】
【発明の実施の形態】
以下、図面を参照して本発明による生化学検査システムの実施形態について説明する。
【００２８】
図１は、本発明による生化学検査システムの一実施の形態を示すブロック図であり、図２は本実施の形態の検査システムに用いられた生化学解析用ユニットの基板の詳細構造を示す図である。
【００２９】
図２に示すように、本実施の形態の検査システムに用いられる生化学解析用ユニットの基板７は、光を減衰させる性質を有するアルミニウムの金属板（基板主部）８に多数の略円形の貫通孔９が高密度に形成され、これらの多数の貫通孔９の内部に酢酸セルロース等の多孔質材料１０が充填されてなるものである。
【００３０】
図１に示すように、本実施の形態の生化学検査システムは、各種検査項目に応じた特異的結合物質がそれぞれの貫通孔９の多孔質材料１０に滴下されて形成されたスポット（特異的結合物質が固定されているスポット状の固定領域）を有するスクリーニング検査のための生化学解析用ユニット１に、化学発光基質と接触させることにより化学発光を生じさせる標識物質により標識された解析対象となるサンプル（生体由来の物質）を投与し、スクリーニング検査のための生化学解析用ユニットのスポットを形成する特異的結合物質と選択的に結合させて標識する（ハイブリダイズする）ハイブリダイズ装置（特異的結合手段）２と、ハイブリダイズされたスクリーニング検査のための生化学解析用ユニット１に化学発光基質を接触させることにより化学発光を発生させるケミルミ・リアクタ（反応手段）３と、発せられた化学発光を光電的に読み取る検出装置４と、ハイブリダイズ装置２にハイブリダイズ条件、ケミルミ・リアクタ３に発光条件、検出装置４に検出条件をそれぞれ送信すると共に、人が入力したスクリーニング検査のための生化学解析用ユニットのスポットの結合物質の種類および各結合物質のスポット位置並びに検出装置４から受信した検出結果に基づき生化学解析を実行してスクリーニング検査の結果が陽性であるか陰性であるかを判断し、スクリーニング検査の結果が陽性である場合に、スポッタ５にスクリーニング検査の結果が陽性であることおよび発光を生じた結合物質の種類を送信する解析／制御部６と、解析／制御部６からスクリーニング検査の結果が陽性であるとの結果を受信した場合に、解析／制御部６から送信された発光を生じた結合物質の種類に対応する精密検査用の複数の特異的結合物質を基板上の異なる位置に滴下することにより精密検査のための生化学解析用ユニットを生成するスポッタ５とからなるものである。
【００３１】
次いで、本実施の形態の生化学検査システムの動作について説明する。
【００３２】
スクリーニング検査のための生化学解析用ユニット１がハイブリダイズ装置２に入るに当たって、まず、人が検査項目に応じたスクリーニング検査のための生化学解析用ユニット１を選択し、選択した生化学解析用ユニット１のスポット情報（スポット位置や特異的結合物質の種類など）や投与するサンプル情報（サンプルとなる生体由来の物質）を解析／制御部６に入力する。解析／制御部６は、人によって入力されたスポット情報を記憶しておき、後の解析に供する。
【００３３】
スクリーニング検査のための生化学解析用ユニット１は、ハイブリダイズ装置２により、解析／制御部から送信されてきたハイブリダイズ条件（投与するサンプルの種類、ハイブリダイズする時間など）に基づいてハイブリダイズされ、化学発光基質と接触させることによって化学発光を生じさせる標識物質により標識されたサンプルによりスポットが選択的に標識される。
【００３４】
次にハイブリダイズ装置２によりハイブリダイズ済みの生化学解析用ユニット１はケミルミ・リアクタ３に入り、解析／制御部から送信されてきた発光条件（発光時間など）に基づいて化学発光基質と接触され、発光を生じる。
【００３５】
発光を生じた生化学解析用ユニット１は検出装置４に送られ、検出装置４は、生化学解析用ユニット１における化学発光基質の発光した位置および発光量を光電的に読み取り、その結果を解析／制御部６に送信する。
【００３６】
解析／制御部６は、検出装置４から送信されてきた検出結果、例えばユニット上のどのスポットがどれだけ発光したかに基づいて、すでに記憶されているスポット情報（各スポットにおける結合物質の種類の情報）と対応付けて生化学解析を行い、スクリーニング検査の結果が陽性か陰性かを判断する。スクリーニング検査の結果が陰性である場合には、ここで検査は終了する。なお、スクリーニング検査の生化学解析としては、例えば、ある病気において発現する遺伝子について一定値以上の発光量が認められれば、その病気について陽性である（罹病しているまたは罹病する可能性がある）と判断し、発光量が一定値に満たない場合は陰性であると判断する方法を用いることができる。また、この生化学解析においては、生体由来の物質の種類などのサンプル情報を加味して解析を行ってもよい。
【００３７】
一方スクリーニング検査の結果が陽性である場合には、解析／制御部６から、スクリーニング検査の結果が陽性であることおよび発光を生じた結合物質の種類がスポッタ５に送信される。スポッタ５は、解析／制御部６から送信された情報に基づいて、予め記憶されているスクリーニング検査のための結合物質の種類と精密検査のための結合物質の種類との対応表を参照し、スクリーニング検査において発光を生じた結合物質の種類に対応する精密検査用の結合物質を割り出し、図２に示す基板７上の多数の貫通孔内の吸着性材料１０に、その発光を生じた結合物質に対応する特異的結合物質を滴下し、精密検査のための生化学解析用ユニットを作成する。この精密検査のための生化学解析用ユニットは、スクリーニング検査の場合と同様に、ハイブリダイズ装置２においてスクリーニング検査の時に使用された標識された生体由来の物質を結合させることにより標識され、ケミルミ・リアクタ３において化学発光基質と接触され、検出装置４においてどのスポットがどれだけ発光したかを検出されることを経て、解析／制御部６により精密検査のための生化学解析用ユニットのどの結合物質がどれだけ発光したかという結果に基づいて精密検査の結果が判断される。精密検査の結果とは、例えば、スクリーニング検査の結果罹病している可能性があると判断された病気について、スクリーニング検査で判断の対象としなかった他の遺伝子が精密検査において一定値以上発光している場合には、その病気について陽性であると判断され、罹病している可能性がさらに高いことがわかる。
【００３８】
本実施の形態の生化学検査システムにおいては、スクリーニング検査のための生化学解析用ユニットについてのスポット情報を人が解析／制御部６に入力することとしているが、生化学解析用ユニットにバーコードなどの印を付けておき、ハイブリダイズ装置２がバーコードリーダなどによりその印を読み取って解析／制御部６にスクリーニング検査のための生化学解析用ユニットについての情報を送信するようにしてもよい。
【００３９】
また本実施の形態においては、スポッタ５がスクリーニング検査のための結合物質の種類と精密検査のための結合物質の種類との対応表を予め記憶しておき、この対応表を参照してスクリーニング検査において発光を生じた結合物質の種類に対応する精密検査用の結合物質を割り出すこととしたが、解析／制御部６が上記の対応表を記憶しておき、スクリーニング検査において発光を生じた結合物質から精密検査用の結合物質の種類をスポッタ５に送信するようにしてもよい。
【００４０】
また、ユニットを洗浄して再利用するときの便利さおよびユニットを製造する際の容易さから、本実施の形態の生化学解析システムに用いられたユニットの基板は、その孔が貫通孔になっているが、基板主部上に複数の非貫通孔が形成され、これらの非貫通孔の凹部内に吸着性材料が充填されてなるものを用いてももちろんよい。
【００４１】
本実施の形態の生化学検査システムによれば、スポッタ５におけるスポット工程において、スクリーニング検査のための生化学解析用ユニットのスポット情報、スクリーニング検査の結果、および精密検査のための生化学解析用ユニットのスポット情報を対応付けるようにしているので、操作者の記憶やメモなどに頼らず、スクリーニング検査にどの生化学解析用ユニットを用いたかなどを正確に、かつ自動的に把握することができるので、人為的なミスを防ぎ、正しい解析結果を得ることができる。
【００４２】
なお上記の実施の形態においては、化学発光基質と接触させることによって化学発光を生じさせる標識物質により生体由来の物質を標識することとしているが、本発明は、放射性標識物質や蛍光性標識物質により生体由来の物質を標識する場合や、生体由来の物質を抗原により標識し、化学発光基質と接触させることによって化学発光を生じさせる標識物質、放射性標識物質、または蛍光性標識物質により標識された抗体をこの抗原に結合させる場合にも適用可能である。
【図面の簡単な説明】
【図１】本発明の生化学検査システムの一実施の形態を示す構成図
【図２】図１に示した生化学検査システムに用いられたユニットの基板を示す斜視図
【符号の説明】
１　スクリーニング検査のための生化学検査用ユニット
２　ハイブリダイズ装置
３　ケミルミ・リアクタ
４　検出措置
５　スポッタ
６　解析／制御部
７　基板
８　基板主部
９　貫通孔
１０　多孔性物質
【図１】
2004109060.tif 000003
【図２】
2004109060.tif 000004